(57)【特許請求の範囲】
【請求項１】
複数の画像出力装置から画像データ並びに目標輝度及び目標色温度の情報を入力し、入力される複数の画像データに基づく複数の画像を１つの画面に並べて表示する多画面表示と、前記複数の画像のうちのいずれかを画面全体に表示する全画面表示と、を切り替え可能な画像表示装置であって、
独立に発光を制御可能な複数色の光源を有する発光手段と、
複数の画像出力装置の目標輝度及び目標色温度の組み合わせと、前記発光手段の前記各光源の発光設定値と、の予め定められた対応関係に基づき、前記画像表示装置に画像データを入力する全ての画像出力装置の目標輝度及び目標色温度の組み合わせに応じて決定され、さらに、キャリブレーション対象の画像出力装置の画像データに基づく画像を前記画像表示装置に表示させた場合の表示色域、表示輝度、及び表示色温度の測定値と、前記キャリブレーション対象の画像出力装置の目標色域、目標輝度、及び目標色温度と、の差異がそれぞれ閾値以下になるようにするキャリブレーション処理により補正された共通発光設定値を取得する発光設定値取得手段と、
前記画像表示装置に画像データを入力する全ての画像出力装置の画像データに基づく画像の表示領域に、前記キャリブレーション処理により補正された共通発光設定値を共通に適用して、前記発光手段を発光させる発光制御手段と、
を有する画像表示装置。
【請求項２】
前記発光設定値取得手段は、前記複数の画像出力装置のうち、前記複数の画像出力装置から目標輝度及び目標色温度の情報を取得する手段を有し、前記画像表示装置に画像データを入力する全ての画像出力装置の目標輝度及び目標色温度の組み合わせに応じて前記共通発光設定値を決定する手段を有する画像出力装置から、前記共通発光設定値を取得する請求項１に記載の画像表示装置。
【請求項３】
複数の画像出力装置の目標輝度及び目標色温度の組み合わせと、画像表示装置の発光手段の発光設定値と、の前記対応関係を記憶する記憶手段と、
画像表示装置に画像データを入力する全ての画像出力装置の目標輝度及び目標色温度を取得する目標値取得手段と、
目標値取得手段が取得した前記全ての画像出力装置の目標輝度及び目標色温度の組み合わせに対応する共通発光設定値を記憶手段に記憶される前記対応関係に基づき決定する決定手段と、
を有し、
前記発光設定値取得手段は、前記決定手段により決定された前記共通発光設定値を取得する請求項１に記載の画像表示装置。
【請求項４】
前記キャリブレーション処理は、前記画像表示装置に画像データを入力する画像出力装置により実行され、
前記発光設定値取得手段は、前記キャリブレーション処理を実行する画像出力装置から前記補正された共通発光設定値を取得する請求項１から３のいずれか１項に記載の画像表示装置。
【請求項５】
キャリブレーション対象の画像出力装置の画像データに基づく画像を前記画像表示装置に表示させた場合の表示色域、表示輝度、及び表示色温度の測定値を取得する表示特性取得手段と、
前記表示特性取得手段が取得した測定値に基づき前記キャリブレーション処理を行うキャリブレーション手段と、
を有する請求項１から３のいずれか１項に記載の画像表示装置。
【請求項６】
前記キャリブレーション処理により補正された共通発光設定値を適用して前記発光手段を発光させた場合に、前記画像表示装置に画像データを入力する複数の画像出力装置のうちに、その表示色域、表示輝度、又は表示色温度とその目標色域、目標輝度、又は目標色温度との差異の少なくともいずれかが閾値以下にならない画像出力装置が有るときは、
前記共通発光設定値は、画像表示装置に画像データを入力する全ての画像出力装置の目標輝度及び目標色温度が、該全ての画像出力装置のうちから優先する画像出力装置として選択される一の画像出力装置の目標輝度及び目標色温度に等しいと仮定して決定される請求項１から５のいずれか１項に記載の画像表示装置。
【請求項７】
前記優先する画像出力装置として選択すべき画像出力装置をユーザに指定させる指定手段を有する請求項６に記載の画像表示装置。
【請求項８】
画像出力装置の目標色域、目標輝度、目標色温度、及び前記発光手段の共通発光設定値の組み合わせと、その画像出力装置から入力される画像データを前記画像表示装置の表示パネルの制御信号に変換するルックアップテーブルと、の予め定められた対応関係に基づき決定されるルックアップテーブルを取得するルックアップテーブル取得手段と、
前記画像表示装置に画像データを入力する前記複数の画像出力装置の各々について、その画像データに基づく画像の表示領域の表示パネルを前記ルックアップテーブル取得手段が取得したルックアップテーブルを用いて制御する表示パネル制御手段と、
を有する請求項１から７のいずれか１項に記載の画像表示装置。
【請求項９】
前記ルックアップテーブル取得手段は、前記複数の画像出力装置のうち、前記複数の画像出力装置から目標色域、目標輝度、及び目標色温度の情報を取得する手段を有し、前記画像出力装置の目標色域、目標輝度、目標色温度、及び前記発光手段の共通発光設定値の組み合わせと、その画像出力装置から入力される画像データを前記画像表示装置の表示パネルの制御信号に変換するルックアップテーブルと、の予め定められた対応関係に基づきルックアップテーブルを決定する手段を有する画像出力装置から、前記ルックアップテーブルを取得する請求項８に記載の画像表示装置。
【請求項１０】
画像出力装置の目標色域、目標輝度、目標色温度、及び前記発光手段の共通発光設定値
の組み合わせと、その画像出力装置から入力される画像データを画像表示装置の表示パネルの制御信号に変換するルックアップテーブルと、の前記対応関係を記憶するＬＵＴ記憶手段と、
前記画像表示装置に画像データを入力する複数の画像出力装置の各々について、その目標色域、目標輝度、目標色温度、及び前記発光設定値取得手段が取得する共通発光設定値の組み合わせに対応するルックアップテーブルを前記ＬＵＴ記憶手段に記憶される前記対応関係に基づき決定するルックアップテーブル決定手段と、
を有し、
前記ルックアップテーブル取得手段は、前記ルックアップテーブル決定手段により決定された前記ルックアップテーブルを取得する請求項９に記載の画像表示装置。
【請求項１１】
複数の画像出力装置から画像データ並びに目標輝度及び目標色温度の情報を入力し、入力される複数の画像データに基づく複数の画像を１つの画面に並べて表示する多画面表示と、前記複数の画像のうちのいずれかを画面全体に表示する全画面表示と、を切り替え可能であり、独立に発光を制御可能な複数色の光源を有する発光手段を有する画像表示装置の制御方法であって、
複数の画像出力装置の目標輝度及び目標色温度の組み合わせと、前記発光手段の前記各光源の発光設定値と、の予め定められた対応関係に基づき、前記画像表示装置に画像データを入力する全ての画像出力装置の目標輝度及び目標色温度の組み合わせに応じて決定され、さらに、キャリブレーション対象の画像出力装置の画像データに基づく画像を前記画像表示装置に表示させた場合の表示色域、表示輝度、及び表示色温度の測定値と、前記キャリブレーション対象の画像出力装置の目標色域、目標輝度、及び目標色温度と、の差異がそれぞれ閾値以下になるようにするキャリブレーション処理により補正された共通発光設定値を取得する発光設定値取得工程と、
前記画像表示装置に画像データを入力する全ての画像出力装置の画像データに基づく画像の表示領域に、前記キャリブレーション処理により補正された共通発光設定値を共通に適用して、前記発光手段を発光させる発光制御工程と、
を有する画像表示装置の制御方法。
【請求項１２】
前記発光設定値取得工程では、前記複数の画像出力装置のうち、前記複数の画像出力装置から目標輝度及び目標色温度の情報を取得する手段を有し、前記画像表示装置に画像データを入力する全ての画像出力装置の目標輝度及び目標色温度の組み合わせに応じて前記共通発光設定値を決定する手段を有する画像出力装置から、前記共通発光設定値を取得する請求項１１に記載の画像表示装置の制御方法。
【請求項１３】
複数の画像出力装置の目標輝度及び目標色温度の組み合わせと、画像表示装置の発光手段の発光設定値と、の前記対応関係を記憶する記憶手段から前記対応関係の情報を取得する工程と、
画像表示装置に画像データを入力する全ての画像出力装置の目標輝度及び目標色温度を取得する目標値取得工程と、
目標値取得工程で取得した前記全ての画像出力装置の目標輝度及び目標色温度の組み合わせに対応する共通発光設定値を前記対応関係に基づき決定する決定工程と、
を有し、
前記発光設定値取得工程では、前記決定工程により決定された前記共通発光設定値を取得する請求項１１に記載の画像表示装置の制御方法。
【請求項１４】
前記キャリブレーション処理は、前記画像表示装置に画像データを入力する画像出力装置により実行され、
前記発光設定値取得工程では、前記キャリブレーション処理を実行する画像出力装置から前記補正された共通発光設定値を取得する請求項１１から１３のいずれか１項に記載の
画像表示装置の制御方法。
【請求項１５】
キャリブレーション対象の画像出力装置の画像データに基づく画像を前記画像表示装置に表示させた場合の表示色域、表示輝度、及び表示色温度の測定値を取得する表示特性取得工程と、
前記表示特性取得工程により取得した測定値に基づき前記キャリブレーション処理を行うキャリブレーション工程と、
を有する請求項１１から１３のいずれか１項に記載の画像表示装置の制御方法。
【請求項１６】
前記キャリブレーション処理により補正された共通発光設定値を適用して前記発光手段を発光させた場合に、前記画像表示装置に画像データを入力する複数の画像出力装置のうちに、その表示色域、表示輝度、又は表示色温度とその目標色域、目標輝度、又は目標色温度との差異の少なくともいずれかが閾値以下にならない画像出力装置が有るときは、
前記共通発光設定値は、画像表示装置に画像データを入力する全ての画像出力装置の目標輝度及び目標色温度が、該全ての画像出力装置のうちから優先する画像出力装置として選択される一の画像出力装置の目標輝度及び目標色温度に等しいと仮定して決定される請求項１１から１５のいずれか１項に記載の画像表示装置の制御方法。
【請求項１７】
前記優先する画像出力装置として選択すべき画像出力装置をユーザに指定させる指定工程を有する請求項１６に記載の画像表示装置の制御方法。
【請求項１８】
画像出力装置の目標色域、目標輝度、目標色温度、及び前記発光手段の共通発光設定値の組み合わせと、その画像出力装置から入力される画像データを前記画像表示装置の表示パネルの制御信号に変換するルックアップテーブルと、の予め定められた対応関係に基づき決定されるルックアップテーブルを取得するルックアップテーブル取得工程と、
前記画像表示装置に画像データを入力する前記複数の画像出力装置の各々について、その画像データに基づく画像の表示領域の表示パネルを前記ルックアップテーブル取得工程で取得したルックアップテーブルを用いて制御する表示パネル制御工程と、
を有する請求項１１から１７のいずれか１項に記載の画像表示装置の制御方法。
【請求項１９】
前記ルックアップテーブル取得工程では、前記複数の画像出力装置のうち、前記複数の画像出力装置から目標色域、目標輝度、及び目標色温度の情報を取得する手段を有し、前記画像出力装置の目標色域、目標輝度、目標色温度、及び前記発光手段の共通発光設定値の組み合わせと、その画像出力装置から入力される画像データを前記画像表示装置の表示パネルの制御信号に変換するルックアップテーブルと、の予め定められた対応関係に基づきルックアップテーブルを決定する手段を有する画像出力装置から、前記ルックアップテーブルを取得する請求項１８に記載の画像表示装置の制御方法。
【請求項２０】
画像出力装置の目標色域、目標輝度、目標色温度、及び前記発光手段の共通発光設定値の組み合わせと、その画像出力装置から入力される画像データを画像表示装置の表示パネルの制御信号に変換するルックアップテーブルと、の前記対応関係を記憶するＬＵＴ記憶手段から前記対応関係の情報を取得する工程と、
前記画像表示装置に画像データを入力する複数の画像出力装置の各々について、その目標色域、目標輝度、目標色温度、及び前記発光設定値取得工程により取得する共通発光設定値の組み合わせに対応するルックアップテーブルを前記対応関係に基づき決定するルックアップテーブル決定工程と、
を有し、
前記ルックアップテーブル取得工程では、前記ルックアップテーブル決定工程により決定された前記ルックアップテーブルを取得する請求項１９に記載の画像表示装置の制御方法。
【発明の詳細な説明】
【技術分野】
【０００１】
本発明は、液晶表示装置及びその制御方法に関し、特に、複数の画像出力装置から出力される複数の画像信号を入力し、複数の画像信号に基づく複数の画像を１つの画面に同時に表示する液晶表示装置及びその制御方法に関するものである。
【背景技術】
【０００２】
近年、印刷やデザイン業務で使用されるカラーマネジメントに対応した液晶表示装置は大画面化してきている。これらの大画面の液晶表示装置は、２台のパーソナルコンピュータ（ＰＣ）を接続し、画面を２分割して両方のＰＣの画像を並べて表示するか（二画面表示）、いずれか一方のＰＣの画像を画面全体に表示するか（全画面表示）を切り替えることができる。また、液晶表示装置の中には、バックライトとして赤、緑、青の３色の発光ダイオード（ＲＧＢ  Ｌｉｇｈｔ  Ｅｍｉｔｔｉｎｇ  Ｄｉｏｄｅ：ＲＧＢ  ＬＥＤ）を採用するものが存在する。これは、従来の冷陰極線管（Ｃｏｌｄ  Ｃａｔｈｏｄｅ  Ｆｌｕｏｒｅｓｃｅｎｔ  Ｌａｍｐ：ＣＣＦＬ）に代わるバックライトである。ＲＧＢ  ＬＥＤを採用することで、従来のＣＣＦＬに比べて色の再現性を向上させることができる。
【０００３】
ＲＧＢ  ＬＥＤをバックライトに採用した液晶表示装置の場合、ユーザが目標輝度や目標色温度等を指定してキャリブレーションを行うと、指定した目標値に基づいてバックライトのＲＧＢ  ＬＥＤの発光設定値を変更する。２台のＰＣを液晶表示装置に接続する場合は、ＰＣ毎にキャリブレーションを行うことで、各ＰＣが出力する画像信号に対して、それぞれ所望の色再現性で画像表示を行うことができる。
【０００４】
従来、画面を複数の光源ブロックに分割し、入力される画像信号に応じて、光源ブロックごとにＲＧＢ  ＬＥＤバックライトの発光設定値を制御し、色再現性を高める発明があった（例えば、特許文献１参照）。
【０００５】
また、画質情報や画像表示部の入出力特性に基づいて、一方の画像出力装置を優先して画質調整を行い、他方の画像出力装置が出力する画像を、前記一方の画像出力装置の画質と同質になるよう調整する発明があった。この発明によれば、複数の画像出力装置の画像を表示する際の画質を最適化できる（例えば、特許文献２参照）。
【先行技術文献】
【特許文献】
【０００６】
【特許文献１】特開２００７−３２２９４４号公報
【特許文献２】特開２００４−２９５１３３号公報
【発明の概要】
【発明が解決しようとする課題】
【０００７】
しかしながら、上述した従来の技術では、例えば２つの画像出力装置の目標色温度が異なる場合などにおいて、画像出力装置毎にキャリブレーションを行うと、画像出力装置毎に異なるバックライトの発光設定値になる場合がある。このような場合、２つの画像出力装置が出力する画像信号に基づく画像を左右に並べて二画面表示すると、２つの画像の表示領域のバックライトが異なる発光設定値で発光することになり、２つの画像の境界付近で色の再現性が低下する可能性がある。また、いずれか一方の画像出力装置の画像を全画面表示する場合と２つの画像出力装置の画像を二画面表示する場合とで、異なるバックライトの発光設定値となり、色が変わってしまう可能性がある。そのため、ユーザが色の再現性が低下していることや色が変わっていることに気づかずに画像編集を行うと、間違っ
た色の調整を行う可能性があった。
【０００８】
そこで、本発明は、二画面表示の画像の境界付近における色再現性の低下や、全画面表示した場合と二画面表示した場合とで色が変化することを抑制することが可能な液晶表示装置及びその制御方法を提供することを目的とする。
【課題を解決するための手段】
【０００９】
本発明は、複数の画像出力装置から画像データ並びに目標輝度及び目標色温度の情報を入力し、入力される複数の画像データに基づく複数の画像を１つの画面に並べて表示する多画面表示と、前記複数の画像のうちのいずれかを画面全体に表示する全画面表示と、を切り替え可能な画像表示装置であって、
独立に発光を制御可能な複数色の光源を有する発光手段と、
複数の画像出力装置の目標輝度及び目標色温度の組み合わせと、前記発光手段の前記各光源の発光設定値と、の予め定められた対応関係に基づき、前記画像表示装置に画像データを入力する全ての画像出力装置の目標輝度及び目標色温度の組み合わせに応じて決定され、さらに、キャリブレーション対象の画像出力装置の画像データに基づく画像を前記画像表示装置に表示させた場合の表示色域、表示輝度、及び表示色温度の測定値と、前記キャリブレーション対象の画像出力装置の目標色域、目標輝度、及び目標色温度と、の差異がそれぞれ閾値以下になるようにするキャリブレーション処理により補正された共通発光設定値を取得する発光設定値取得手段と、
前記画像表示装置に画像データを入力する全ての画像出力装置の画像データに基づく画像の表示領域に、前記キャリブレーション手段により補正された共通発光設定値を共通に適用して、前記発光手段を発光させる発光制御手段と、
を有する画像表示装置である。
【００１０】
本発明は、複数の画像出力装置から画像データ並びに目標輝度及び目標色温度の情報を入力し、入力される複数の画像データに基づく複数の画像を１つの画面に並べて表示する多画面表示と、前記複数の画像のうちのいずれかを画面全体に表示する全画面表示と、を切り替え可能であり、独立に発光を制御可能な複数色の光源を有する発光手段を有する画像表示装置の制御方法であって、
複数の画像出力装置の目標輝度及び目標色温度の組み合わせと、前記発光手段の前記各光源の発光設定値と、の予め定められた対応関係に基づき、前記画像表示装置に画像データを入力する全ての画像出力装置の目標輝度及び目標色温度の組み合わせに応じて決定され、さらに、キャリブレーション対象の画像出力装置の画像データに基づく画像を前記画像表示装置に表示させた場合の表示色域、表示輝度、及び表示色温度の測定値と、前記キャリブレーション対象の画像出力装置の目標色域、目標輝度、及び目標色温度と、の差異がそれぞれ閾値以下になるようにするキャリブレーション処理により補正された共通発光設定値を取得する発光設定値取得工程と、
前記画像表示装置に画像データを入力する全ての画像出力装置の画像データに基づく画像の表示領域に、前記キャリブレーション処理により補正された共通発光設定値を共通に適用して、前記発光手段を発光させる発光制御工程と、
を有する画像表示装置の制御方法である。
【発明の効果】
【００１１】
本発明によれば、二画面表示の画像の境界付近における色再現性の低下や、全画面表示した場合と二画面表示した場合とで色が変化することを抑制することが可能な液晶表示装置及びその制御方法を提供することができる。
【図面の簡単な説明】
【００１２】
【図１】第１の実施例の液晶表示装置及び２つのＰＣの接続関係を表した図
【図２】液晶表示装置のハードウェアブロック図
【図３】バックライトのＬＥＤの配置を表した図
【図４】ＰＣのハードウェアブロック図
【図５】液晶表示装置の機能ブロック図
【図６】ＰＣの機能ブロック図
【図７】キャリブレーション処理のフローチャート
【図８】二画面表示キャリブレーション処理のフローチャート
【図９】第２の実施例のＰＣの機能ブロック図
【図１０】二画面表示キャリブレーション処理のフローチャート
【発明を実施するための形態】
【００１３】
（実施例１）
図１は、本発明の第１の実施例が適用される液晶表示装置及び２つのＰＣの接続関係を表した図である。
液晶表示装置１００には、ＰＣ１０１及びＰＣ１０２がケーブル１０７及び１０８で接続されている。ＰＣ１０１にはキーボード１０３及びマウス１０４が接続され、ユーザの操作を受け付ける。同様にＰＣ１０２にはキーボード１０５、マウス１０６が接続される。ＰＣ１０１には輝度・色度測定センサ１０９が接続され、液晶表示装置１００の表示輝度や表示色度を測定することができるようになっている。ケーブル１０７及びケーブル１０８は、ＤＶＩ（商標）又はＤｉｓｐｌａｙＰｏｒｔ（商標）規格に準拠しており、画像信号とＤＤＣ／ＣＩ（Ｄｉｓｐｌａｙ  Ｄａｔａ  Ｃｈａｎｎｅｌ  Ｃｏｍｍａｎｄ  Ｉｎｔｅｒｆａｃｅ）に基づいたデータ通信が可能である。
【００１４】
ＰＣ１０１及びＰＣ１０２は、ケーブル１０７及びケーブル１０８を介して、液晶表示装置１００に対して画像信号や入力切替要求、バックライトの発光設定値、ＬＵＴ（Ｌｏｏｋ  Ｕｐ  Ｔａｂｌｅ、ルックアップテーブル）を送信する。ＬＵＴは、画像信号を液晶パネルの制御信号に変換するテーブルである。一方、ＰＣ１０１は、ケーブル１０７及びケーブル１０８を介して、ＰＣ１０２に対してＰＣ１０２の目標値取得要求及び確認用パターン画像表示要求を送信し、ＰＣ１０２からＰＣ１０２の目標色域、目標輝度、及び目標色温度を受信する。またＰＣ１０２は、ケーブル１０７及びケーブル１０８を介して、ＰＣ１０１から送信されるＰＣ１０２の目標値取得要求や確認用パターン画像表示要求を受信し、ＰＣ１０２の目標色域、目標輝度、及び目標色温度を送信する。
【００１５】
図２は、液晶表示装置１００のハードウェアブロック図である。
ＣＰＵ２０１は、不揮発メモリ２０３から各種制御を行うためのプログラムを読み込み、内部バス２１１に接続された各構成ブロックの制御を行う。ＣＰＵ２０１は、操作ボタン２１０から受信した二画面表示指示に基づいて、画像処理回路２０６に対して、画像入力回路２０４及び画像入力回路２０５が受信した画像信号を、左右に二画面分割して表示するように指示する。また、ＣＰＵ２０１は、画像入力回路２０４及び画像入力回路２０５が受信した、バックライトの発光設定値やＬＵＴを不揮発メモリ２０３に記録する。
【００１６】
加えて、ＣＰＵ２０１は、ＰＣ１０１から受信した入力切替要求に基づいて、液晶表示デバイス２０７の表示をＰＣ１０１の画像信号の表示からＰＣ１０２の画像信号の表示、或いはその逆に切り替えるよう、画像処理回路２０６に指示する。この場合、ＰＣ１０１の画像又はＰＣ１０２の画像を画面全体に表示する全画面表示が行われる。一方、ＣＰＵ２０１は、ＰＣ１０１から受信したＰＣ１０２の目標値取得要求を画像入力回路２０５経由でＰＣ１０２に出力し、ＰＣ１０２の目標色域、目標輝度、及び目標色温度を取得し、画像入力回路２０４に出力する。また、ＣＰＵ２０１は、ＰＣ１０１から受信した確認用パターン画像表示要求を、画像入力回路２０５経由でＰＣ１０２に出力する。
【００１７】
メモリ２０２は、ＣＰＵ２０１の処理に用いるデータを一時的に記憶する。
不揮発メモリ２０３は、ＣＰＵ２０１が動作するためのプログラム情報や、画像入力回路２０４又は２０５から入力される画像信号に基づく画像を液晶表示デバイス２０７に表示する際のバックライトの発光設定値やＬＵＴを記憶する。
【００１８】
画像入力回路２０４は、ＰＣ１０１からの画像信号を受信（入力）し、画像処理回路２０６に出力する。また、画像入力回路２０４は、ＰＣ１０１から受信したＰＣ１０２の目標値取得要求やバックライトの発光設定値、ＬＵＴ、入力切替要求、確認用パターン画像表示要求をＣＰＵ２０１に出力する。加えて、画像入力回路２０４は、ＣＰＵ２０１から受信したＰＣ１０２の目標色域、目標輝度、及び目標色温度をＰＣ１０１に出力する。
【００１９】
画像入力回路２０５は、ＰＣ１０２からの画像信号を受信（入力）し、画像処理回路２０６に出力する。また、画像入力回路２０５は、ＰＣ１０２に対して、ＰＣ１０１から受信したＰＣ１０２の目標値取得要求を出力してその応答であるＰＣ１０２の目標色域、目標輝度、及び目標色温度を受信し、ＣＰＵ２０１に出力する。加えて、画像入力回路２０５は、ＰＣ１０２に対して確認用パターン画像表示要求を出力する。
【００２０】
画像処理回路２０６は、画像入力回路２０４及び画像入力回路２０５から受信した画像信号を不揮発メモリ２０３に記録されたＬＵＴに基づいて処理して液晶表示デバイス２０７（液晶パネル）の制御信号に変換し、液晶表示デバイス２０７に出力する。
液晶表示デバイス２０７は、画像処理回路２０６から受信した制御信号に基づいて画素毎の液晶の光透過率を制御する等により画像を表示し、ユーザに提示する。
【００２１】
バックライト制御回路２０８は、不揮発メモリ２０３に記録されたバックライト発光設定値に基づいて各バックライト２０９の発光を制御する制御情報を出力する。
バックライト２０９は、バックライト制御回路２０８から受信した制御情報に基づいて個々のＬＥＤが発光する。なお、バックライト２０９にはＬＥＤが複数個設置されている。詳細は後述する。
【００２２】
操作ボタン２１０は、ユーザからの二画面表示操作を受け付け、二画面表示の指示をＣＰＵ２０１に通知する。
内部バス２１１は、液晶表示装置１００の各構成ブロックを接続し、データ通信を行う。
【００２３】
図３は、液晶表示装置１００におけるバックライト２０９上のＬＥＤの配置を表した図である。
バックライト２０９には、Ｒ、Ｇ、Ｂの独立した三原色のＬＥＤ３０１を１セットとして、横方向に２４列、縦方向に１６行の合計３８４セットのＬＥＤが配置されている。
【００２４】
図４は、ＰＣ１０１及びＰＣ１０２のハードウェアブロック図である。括弧書きの符号はＰＣ１０２に特有の動作をする構成ブロックを示す。それ以外の符号はＰＣ１０１及びＰＣ１０２に共通の動作をする構成ブロックを示す。
【００２５】
ＣＰＵ４０１は、ＰＣ１０１において、内部バス４０８に接続された各構成ブロックの制御や、蓄積装置４０３に記録されたＯＳやアプリケーションを実行し、画像信号を画像出力回路４０７に出力する。また、ＣＰＵ４０１は、キャリブレーションに使用する確認用パターン画像を再生し、画像出力回路４０７に出力する。加えて、ＣＰＵ４０１は、画像出力回路４０７に対して、ＰＣ１０２の目標値取得要求や入力切替要求、確認用パターン画像表示要求を出力する。
【００２６】
また、ＣＰＵ４０１は、センサＩ／Ｆ回路４０６から液晶表示装置１００の表示色域、表示輝度、及び表示色度を取得する。ＣＰＵ４０１は、取得した表示色域、表示輝度、及び表示色度、画像出力回路４０７から受信したＰＣ１０２の目標色域、目標輝度、及び目標色温度、蓄積装置４０３に記憶されたＰＣ１０１の目標色域、目標輝度、及び目標色温度に基づきキャリブレーションを行う。また、ＣＰＵ４０１はキャリブレーションの結果得られたバックライトの発光設定値及びＬＵＴを画像出力回路４０７に出力する。
【００２７】
メモリ４０２は、ＣＰＵ４０１の処理に用いるデータを一時的に記憶する。
蓄積装置４０３は、ＣＰＵ４０１で動作するＯＳやアプリケーション、ＰＣ１０１の目標色域、目標輝度、及び目標色温度の情報を記憶する。
キーボードＩ／Ｆ回路４０４は、キーボード１０３からユーザの操作を受信し、ＣＰＵ４０１に出力する。
マウスＩ／Ｆ回路４０５は、マウス１０４からユーザの操作を受信し、ＣＰＵ４０１に出力する。
センサＩ／Ｆ回路４０６は、輝度・色度測定センサ１０９から液晶表示装置１００の表示輝度及び表示色度を取得し、ＣＰＵ４０１に出力する。
【００２８】
画像出力回路４０７は、ＣＰＵ４０１が出力する画像信号やＰＣ１０２の目標値取得要求、入力切替要求、確認用パターン画像表示要求、バックライトの発光設定値、ＬＵＴを液晶表示装置１００に出力する。また、液晶表示装置１００からＰＣ１０２の目標色域、目標輝度、及び目標色温度を受信し、ＣＰＵ４０１に出力する。
内部バス４０８は、ＰＣ１０１の各構成ブロックを接続し、データ通信を行う。
【００２９】
図４を用いて、ＰＣ１０２のハードウェアブロックの説明をする。ＰＣ１０１と同等の機能を持つブロックについては、同じ番号を用いて説明を省略する。
ＣＰＵ５０１は、ＰＣ１０１におけるＣＰＵ４０１と同様に内部バス４０８に接続された各構成ブロックの制御や、蓄積装置４０３に記録されたＯＳやアプリケーションを実行し、画像信号を画像出力回路５０２に出力する。加えてＣＰＵ５０１は、画像出力回路５０２から受信したＰＣ１０１からのＰＣ１０２の目標値取得要求に基づいて、蓄積装置４０３からＰＣ１０２の目標色域、目標輝度、及び目標色温度を取得し、画像出力回路５０２に出力する。また、ＣＰＵ５０１は、画像出力回路５０２から取得したＰＣ１０１からの確認用パターン画像表示要求に基づいて、確認用パターン画像を再生し、画像信号を画像出力回路５０２に出力する。
【００３０】
画像出力回路５０２は、ＰＣ１０１における画像出力回路４０７と同様にＣＰＵ５０１が出力する画像信号を出力する。また、液晶表示装置１００から受信したＰＣ１０２の目標値取得要求をＣＰＵ５０１に送信し、ＣＰＵ５０１から受信したＰＣ１０２の目標色域、目標輝度、及び目標色温度を取得し、液晶表示装置１００に出力する。ＰＣ１０２は、ＰＣ１０１における輝度・色度測定センサ１０９及びセンサＩ／Ｆ回路４０６に相当する機能ブロックを有しない。
【００３１】
図５は、液晶表示装置１００の機能ブロック図である。
ＵＩ部６０１は、ユーザが操作ボタン２１０を介して行った二画面表示操作に基づいて、表示制御部６０４に対して、二画面表示要求を出力する。
表示設定管理部６０２は、不揮発メモリ２０３に記憶したバックライトの発光設定値並びに画像入力回路２０４（ＰＣ１０１）及び画像入力回路２０５（ＰＣ１０２）それぞれのＬＵＴを読み込み、表示制御部６０４に出力する。また、表示設定管理部６０２は、キャリブレーション制御部６０３から受信したバックライトの発光設定値及びＬＵＴを不揮発メモリ２０３に記録する。
【００３２】
キャリブレーション制御部６０３は、画像入力回路２０４から受信したＰＣ１０２の目標値取得要求を画像入力回路２０５に出力する。その後、画像入力回路２０５から受信したＰＣ１０２の目標色域、目標輝度、及び目標色温度の情報を画像入力回路２０４に出力する。また、キャリブレーション制御部６０３は、画像入力回路２０４から受信したバックライトの発光設定値及びＬＵＴを不揮発メモリ２０３に記録する。加えて、キャリブレーション制御部６０３は、画像入力回路２０４から受信した入力切替要求を表示制御部６０４に出力する。
【００３３】
表示制御部６０４は、表示設定管理部６０２から取得した画像入力回路２０４及び画像入力回路２０５それぞれのＬＵＴを読み込み、それに基づいて画像処理（画像信号から液
晶表示デバイス２０７の制御信号への変換）を行うよう画像処理回路２０６に要求する。また、表示制御部６０４は、表示設定管理部６０２から取得したバックライトの発光設定値に基づいてバックライトを発光させるようバックライト制御部６０５に要求する。
【００３４】
加えて、表示制御部６０４はＵＩ部から二画面表示要求を受信すると、画像処理回路２０６に対して画像入力回路２０４及び画像入力回路２０５から入力されるＰＣ１０１及びＰＣ１０２の画像信号を二画面表示するように要求する。また、表示制御部６０４はキャリブレーション制御部６０３から受信した入力切替要求に基づいて、画像入力回路２０４又は２０５から受信した画像信号に基づく画像を液晶表示デバイス２０７に表示するよう画像処理回路２０６に要求する。
【００３５】
バックライト制御部６０５は、表示制御部６０４から取得したバックライトの発光設定値に基づいてバックライト制御回路２０８を制御する。
なお、前述したＵＩ部６０１、表示設定管理部６０２、キャリブレーション制御部６０３、表示制御部６０４、及びバックライト制御部６０５の処理は、ＣＰＵ２０１において実行される。
【００３６】
図６は、ＰＣ１０１及びＰＣ１０２の機能ブロック図である。括弧書きの符号はＰＣ１０２に特有の動作をする機能ブロックを示す。それ以外の符号はＰＣ１０１及びＰＣ１０２で共通の動作をする機能ブロックを示す。
【００３７】
画像出力制御部７０１は、ＯＳやアプリケーションを実行した際の描画情報を画像出力回路４０７に出力する。
キーボードドライバ部７０２は、ユーザがキーボード１０３を介して行った入力操作をキーボードＩ／Ｆ回路４０４を介して受信し、ＯＳやアプリケーションを操作する。
マウスドライバ部７０３は、ユーザがマウス１０４を介して行った入力操作をマウスＩ／Ｆ回路４０５を介して受信し、ＯＳやアプリケーションを操作する。
【００３８】
センサドライバ部７０４は、液晶表示装置１００の表示輝度及び表示色度を輝度・色度測定センサ１０９を用いて測定した結果を、センサＩ／Ｆ回路４０６を介して受信し、二画面表示キャリブレーション制御部７０５に出力する。
【００３９】
二画面表示キャリブレーション制御部７０５は、ＰＣ１０２の目標値取得要求を画像出力回路４０７に出力し、画像出力回路４０７からＰＣ１０２の目標色域、目標輝度、及び目標色温度を取得する。また、二画面表示キャリブレーション制御部７０５は、センサドライバ部７０４から取得した表示輝度及び表示色度、ＰＣ１０１及びＰＣ１０２の目標色域、目標輝度、及び目標色温度に基づいて液晶表示装置１００のキャリブレーションを実行する。ＰＣ１０１の目標色域、目標輝度、及び目標色温度並びにＰＣ１０２の目標色域、目標輝度、及び目標色温度は、蓄積装置４０３から取得される。キャリブレーション処理実行時の輝度・色度測定センサ１０９は、液晶表示装置１００の液晶表示デバイス２０７の前面中央部に取り付ける。
【００４０】
その後、キャリブレーション処理の結果得られたバックライト発光設定値及びＬＵＴを、画像出力回路４０７を介して液晶表示装置１００に出力する。また、二画面表示キャリブレーション制御部７０５は、測定用パターン画像や確認用パターン画像を画像出力制御部７０１に出力する。二画面表示キャリブレーション制御部７０５のキャリブレーション処理については後述する。
【００４１】
なお、前述した画像出力制御部７０１、キーボードドライバ部７０２、マウスドライバ部７０３、センサドライバ部７０４、及び二画面表示キャリブレーション制御部７０５の
処理は、ＣＰＵ４０１において実行される。
【００４２】
図６を用いて、ＰＣ１０２の機能ブロックを説明する。ＰＣ１０１と同等の機能を持つブロックについては、同じ番号を用いて説明を省略する。
二画面表示キャリブレーション制御部８０１は、液晶表示装置１００から、画像出力回路５０２を介してＰＣ１０２の目標値取得要求を受信すると、蓄積装置４０３からＰＣ１０２の目標色域、目標輝度、及び目標色温度を取得し、画像出力回路５０２に出力する。また、二画面表示キャリブレーション制御部８０１は、液晶表示装置１００から、画像出力回路５０２を介して確認用パターン画像表示要求を受信すると、確認用パターン画像を画像出力制御部７０１に出力する。
【００４３】
なお、画像出力制御部７０１、キーボードドライバ部７０２、マウスドライバ部７０３及び二画面表示キャリブレーション制御部８０１の処理は、ＣＰＵ５０１において実行される。ＰＣ１０２は、ＰＣ１０１におけるセンサドライバ部７０４に相当する機能ブロックを有しない。
【００４４】
図７は、二画面表示キャリブレーション制御部７０５のキャリブレーション処理のフローチャートである。
【００４５】
二画面表示キャリブレーション制御部７０５は、ユーザにＰＣ１０１を二画面表示して使用するか確認するメッセージを表示し、ユーザにキーボードかマウスで選択させる（Ｓ１０１０１）。ユーザが二画面表示すると選択した場合（Ｓ１０１０２のＹＥＳ）、図８に示す二画面表示キャリブレーション処理を実行する（Ｓ１０１０３）。
一方、ユーザが二画面表示しないと選択した場合（Ｓ１０１０２のＮＯ）においては、ＰＣ１０１の目標色域、目標輝度、及び目標色温度のみを用いたキャリブレーション処理を行う（Ｓ１０１０４）。
【００４６】
図８は、二画面表示キャリブレーション制御部７０５の二画面表示キャリブレーション処理のフローチャートである。
二画面表示キャリブレーション制御部７０５は、測定用パターン画像を再生し、画像出力制御部７０１を介して液晶表示装置１００に表示する。そして、二画面表示キャリブレーション制御部７０５は、センサドライバ部７０４を介して、輝度・色度測定センサ１０９から液晶表示装置１００の表示輝度及び表示色温度を取得する（Ｓ１００１）。
【００４７】
次に、二画面表示キャリブレーション制御部７０５は、蓄積装置４０３からＰＣ１０１の目標色域、目標輝度、及び目標色温度を取得する（Ｓ１００２）。
【００４８】
その後、二画面表示キャリブレーション制御部７０５は、画像出力回路４０７に対してＰＣ１０２の目標値取得要求を取得し、ＰＣ１０２から目標色域、目標輝度、及び目標色温度を取得する（Ｓ１００３）。Ｓ１００２及びＳ１００３の処理を実行する二画面表示キャリブレーション制御部７０５は、本発明において、液晶表示装置に画像信号を入力する全ての画像出力装置の目標輝度及び目標色温度を取得する手段として機能している。
【００４９】
次に、二画面表示キャリブレーション制御部７０５は、ＰＣ１０１とＰＣ１０２の目標輝度及び目標色温度の組み合わせに基づいて、表１のテーブルを参照することにより、当該組み合わせに対応するバックライトの発光設定値を決定する（Ｓ１００４）。Ｓ１００４の処理を実行する二画面表示キャリブレーション制御部７０５が、本発明において、液晶表示装置に画像信号を入力する全ての画像出力装置の目標輝度及び目標色温度の組み合わせに対応する共通発光設定値を決定する手段として機能している。
【表１】
0005637833.tif 000002
【００５０】
表１は、ＰＣ１０１及びＰＣ１０２の目標輝度及び目標色温度の組み合わせとバックライトの発光設定値との対応関係を規定したテーブルである。例えば、ＰＣ１０１の目標輝度が１５０ｃｄ／ｍ２、目標色温度が７２００Ｋで、ＰＣ１０２の目標輝度が１５０ｃｄ／ｍ２、目標色温度が６５００Ｋとする。この場合、バックライトの発光設定値は、赤色ＬＥＤはＲ１２  ｃｄ／ｍ２、緑色ＬＥＤはＧ１２  ｃｄ／ｍ２、青色ＬＥＤはＢ１２  ｃｄ／ｍ２となる。例えば、Ｒ１２は１８００ｃｄ／ｍ２、Ｇ１２は１０５０ｃｄ／ｍ２、Ｂ１２は９００ｃｄ／ｍ２である。
【００５１】
なお、表１のデータは製造時に測定を行い、生成したものを、キャリブレーション処理を行うアプリケーションとともに配布する。ユーザがアプリケーションをＰＣ１０１にインストールすることで、表１のデータが蓄積装置４０３に記憶される。表１のデータを記憶する蓄積装置４０３は、本発明において、複数の画像出力装置の目標輝度及び目標色温度の組み合わせと、液晶表示装置のバックライトの発光設定値と、の前記対応関係を記憶する手段として機能している。
【００５２】
Ｓ１００４の後、二画面表示キャリブレーション制御部７０５は、Ｓ１００４で取得したバックライトの発光設定値と、ＰＣ１０１又はＰＣ１０２の目標色域、目標輝度、及び目標色温度と、に基づいて表２を参照することにより、ＬＵＴを決定する（Ｓ１００５）。Ｓ１００５の処理を実行する二画面表示キャリブレーション制御部７０５は、本発明において、画像出力装置の目標色域、目標輝度、目標色温度、及び共通発光設定値の組み合わせに対応するルックアップテーブルを決定する手段として機能している。
【表２】
0005637833.tif 000003
【００５３】
表２は、ＰＣ１０１又はＰＣ１０２の目標色域、目標輝度、目標色温度、及びバックライトの発光設定値の組み合わせと、赤、緑、及び青の各色のＬＵＴとの対応関係を規定したテーブルである。例えば、ＰＣ１０１について、目標色域がｓＲＧＢ、目標輝度が１５０ｃｄ／ｍ２、目標色温度が７２００Ｋ、バックライトの発光設定値がそれぞれＲ１２、Ｇ１２、Ｂ１２とする。この場合、赤色のＬＵＴはＬＵＴ（Ｓ，Ｒ２２）、緑色のＬＵＴはＬＵＴ（Ｓ，Ｇ２２）、青色のＬＵＴはＬＵＴ（Ｓ，Ｂ２２）となる。また、ＰＣ１０２について、目標色域がｓＲＧＢ、目標輝度が１５０ｃｄ／ｍ２、目標色温度が６５００Ｋ、バックライトの発光設定値がそれぞれＲ１２、Ｇ１２、Ｂ１２とする。この場合、赤色のＬＵＴはＬＵＴ（Ｓ，Ｒ２１）、緑色のＬＵＴはＬＵＴ（Ｓ，Ｇ２１）、青色のＬＵＴはＬＵＴ（Ｓ，Ｂ２１）となる。
【００５４】
目標輝度が１５０ｃｄ／ｍ２、目標色温度が６５００Ｋの画像出力装置の画像信号を、目標輝度が１５０ｃｄ／ｍ２、目標色温度が７２００Ｋの画像出力装置の画像信号を表示するためのバックライト発光設定値で表示させると想定より青色ＬＥＤの発光が強くなる。そのため、画像信号を液晶パネルの制御信号（透過率）に変換するＬＵＴで、目標輝度が１５０ｃｄ／ｍ２、目標色温度が６５００Ｋの画像出力装置からの画像信号を表示するための本来のバックライト発光設定値を用いる場合と比べて青が弱まるように調整する。これにより、本来より青色ＬＥＤの発光が強いバックライト発光設定値を用いた場合でも、目標輝度が１５０ｃｄ／ｍ２、目標色温度が６５００Ｋの画像出力装置からの画像の表示輝度及び表示色温度と目標輝度及び目標色温度との差異が閾値以下になるようにできる。
【００５５】
なお、表２のデータも表１のデータと同様に製造時に測定を行い、生成したものを、キャリブレーション処理を行うアプリケーションとともに配布する。ユーザがアプリケーションをＰＣ１０１にインストールすることで、表２のデータが蓄積装置４０３に記憶される。表２のデータを記憶する蓄積装置４０３は、本発明において、画像出力装置の目標色域、目標輝度、目標色温度、及びバックライトの発光設定値の組み合わせと、ルックアップテーブルと、の前記対応関係を記憶する手段として機能している。
【００５６】
Ｓ１００５の後、二画面表示キャリブレーション制御部７０５は、Ｓ１００１で測定した液晶表示装置の表示輝度及び表示色温度に基づいて、Ｓ１００４で取得したバックライトの発光設定値及びＳ１００５で取得したＬＵＴを補正する（Ｓ１００６）。
次に、二画面表示キャリブレーション制御部７０５は、液晶表示装置１００に対して、画像出力回路４０７を介してＳ１００６で補正したバックライトの発光設定値とＬＵＴを送信する（Ｓ１００７）。
【００５７】
その後、二画面表示キャリブレーション制御部７０５は、確認用パターン画像を再生し、画像出力制御部７０１を介して液晶表示装置１００に表示する。そして、二画面表示キャリブレーション制御部７０５は、センサドライバ部７０４を介して、輝度・色度測定センサ１０９により測定された、ＰＣ１０１の確認用パターン画像を表示している液晶表示装置１００の表示輝度及び表示色温度を取得する。二画面表示キャリブレーション制御部７０５は、取得した測定結果から、液晶表示装置１００に表示されたＰＣ１０１の確認用パターン画像の表示色域、表示輝度、及び表示色温度を取得する（Ｓ１００８）。
【００５８】
次に、二画面表示キャリブレーション制御部７０５は、画像出力回路４０７を介して液晶表示装置１００に対して、画像出力装置１０２の画像を表示するように入力切替要求を出力する（Ｓ１００９）。
そして、二画面表示キャリブレーション制御部７０５は、液晶表示装置１００を介して、ＰＣ１０２に対して確認用パターン画像表示要求を出力する（Ｓ１０１０）。
【００５９】
その後、二画面表示キャリブレーション制御部７０５は、液晶表示装置１００がＰＣ１０２の確認用パターン画像を表示している間に、センサドライバ部７０４を介して、液晶表示装置１００の表示輝度及び表示色温度を取得する。二画面表示キャリブレーション制御部７０５は、取得した測定結果から、液晶表示装置１００に表示されたＰＣ１０２の確認用パターン画像の表示色域、表示輝度、及び表示色温度を取得する（Ｓ１０１１）。
【００６０】
測定が終了すると、二画面表示キャリブレーション制御部７０５は、画像出力回路４０７を介して液晶表示装置１００に対して、画像出力装置１０１の画像を表示するように入力切替要求を出力する（Ｓ１０１２）。
【００６１】
最後に、二画面表示キャリブレーション制御部７０５は、Ｓ１００２で取得したＰＣ１０１の目標色域、目標輝度、及び目標色温度と、Ｓ１００８で取得したＰＣ１０１の表示色域、表示輝度、及び表示色温度と、の差異がそれぞれ閾値以下であるか確認する。また、Ｓ１００３で取得したＰＣ１０２の目標色域、目標輝度、及び目標色温度と、Ｓ１０１１で取得したＰＣ１０２の表示色域、表示輝度、及び表示色温度と、の差異がそれぞれ閾値以下であるか確認する（Ｓ１０１３）。
閾値は、色域、輝度、及び色温度のそれぞれについて予め定められた値である。表示特性（色域、輝度、又は色温度）の目標値と測定値との差異が閾値以下であれば、二画面表示キャリブレーション制御部７０５は、当該表示特性の目標値は満足されたと判定する。
【００６２】
ＰＣ１０１又はＰＣ１０２の表示色域、表示輝度、又は表示色温度と目標色域、目標輝度、又は目標色温度との差異が閾値を超える場合（Ｓ１０１３のＮＯ）、二画面表示キャリブレーション制御部７０５は、その旨を警告メッセージとして表示する（Ｓ１０１４）。
【００６３】
このように、キャリブレーションを行う際にキャリブレーション対象のＰＣの目標値だけでなく同一の液晶表示装置に接続されている他のＰＣの目標値にも基づいてバックライトの発光設定値を決定することで、全てのＰＣでバックライト発光設定値が共通となる。つまり、表１を参照して決定されたバックライト発光設定値は、液晶表示装置に接続されている全てのＰＣの表示領域に共通に適用される共通発光設定値（共通バックライト発光設定値）である。そのため、二画面表示の境界付近でバックライトの発光設定値が変化しないため、二画面表示の境界付近で色の再現性が低下することを抑制できる。さらに、キャリブレーション対象のＰＣの画像信号に基づく画像の表示領域のバックライトは、全画面表示の場合も二画面表示の場合も共通バックライト設定となるので、表示方法によってバックライト発光設定値が変化しなくなる。そのため、表示方法によって色が変わってしまうのを抑制することが可能になる。従って、ユーザが間違った色の調整を行うことを抑
制することができる。
【００６４】
なお、本実施例では、ＰＣからの入力切替要求や目標色域、目標輝度、及び目標色温度の取得に画像ケーブルを用いる例を説明した。この点、液晶表示装置とＰＣとをＵＳＢ（Ｕｎｉｖｅｒｓａｌ  Ｓｅｒｉａｌ  Ｂｕｓ）ケーブルなど、画像ケーブルとは異なる通信ケーブルで接続し、その通信ケーブルを用いて入力切替要求や目標色域、目標輝度、及び目標色温度を取得するようにしても良い。また本実施例では目標値と共通バックライト発光設定値やＬＵＴとの対応関係が表１や表２のようなテーブルとして記憶される構成を説明したが、対応関係を関数や演算式として記憶し、目標値に基づき演算により共通バックライト発光設定値やＬＵＴを求めても良い。
【００６５】
また、本実施例では、ユーザに二画面表示するか否か（二画面表示と全画面表示との切り替え機能を利用するか否か）を選択させるよう構成した。この点、液晶表示装置１００にＰＣが複数台接続されているかを取得し、２台以上接続されている場合にユーザに選択させるようにしても良い。あるいは、３台以上接続されている場合、どのＰＣとの組み合わせで二画面表示するかの情報を予め持っていたり、或いは、ユーザに設定させたりするようにしてもよい。この場合、二画面表示に関わる２つのＰＣの目標輝度及び目標色温度の組み合わせに基づき、表１を参照して、当該組み合わせに対応する共通バックライト発光設定値を決定する。これにより、二画面表示に関わる２つのＰＣの画像の表示領域のバックライト発光設定値が共通になる。
【００６６】
或いは、３つのＰＣの目標輝度及び目標色温度の組み合わせに基づき、当該組み合わせに対応する１つの共通バックライト発光設定値を取得するようにしても良い。この場合、表１の代わりに、３つのＰＣの目標輝度及び目標色温度の組み合わせとバックライト発光設定値との対応関係を規定するテーブルを参照することにより、共通バックライト発光設定値を取得する。そのようなテーブルは、表１と同様、キャリブレーション処理を実行するＰＣにインストールすることにより当該ＰＣの蓄積装置に記憶させても良いし、液晶表示装置１００が不揮発メモリ２０３等にそのデータを保持しても良い。
【００６７】
また、３台以上の画像出力装置（ＰＣ）が液晶表示装置に接続されている場合、３以上の異なるＰＣの画像信号に基づく３以上の画像を、１つの画面の異なる領域に並べて表示する多画面表示（例えば３画面表示）を行っても良い。
【００６８】
また、本実施例では、二画面表示キャリブレーション処理をＰＣ１０１の二画面表示キャリブレーション制御部７０５により行う例を説明したが、液晶表示装置の所定の機能部により二画面表示キャリブレーション処理の一部又は全部を行う構成でも良い。例えば、液晶表示装置１００でＰＣ１０１やＰＣ１０２の目標値を保持し、ＰＣ１０１の二画面表示キャリブレーション制御部７０５からバックライトの発光設定値やＬＵＴを取得するように構成しても良い。
【００６９】
或いは、表１や表２のデータの保持、ＰＣ１０１及びＰＣ１０２からの目標値の取得、表示特性値の取得、共通バックライト発光設定値やＬＵＴの取得、キャリブレーションによるそれらの補正などの処理を、全て液晶表示装置１００で行っても良い。その場合、ＰＣ１０１及びＰＣ１０２は、パターン画像を出力したり、液晶表示装置１００からの要求に応じて目標値を液晶表示装置１００に送信したりするよう構成される。
【００７０】
この場合、表１や表２のデータを保持する蓄積装置４０３に対応する機能部を液晶表示装置１００が有する構成となり、この機能部が本発明の「記憶手段」「ＬＵＴ記憶手段」として機能する。
【００７１】
また、ＰＣ１０１やＰＣ１０２に目標値（目標色域、目標輝度、及び目標色温度）の送信要求を出してＰＣ１０１やＰＣ１０２の目標値を取得する二画面表示キャリブレーション制御部７０５に対応する機能部を液晶表示装置１００が有する構成となる。そして、この機能部が本発明の「目標値取得手段」として機能する。
【００７２】
また、表１を参照して、ＰＣ１０１及びＰＣ１０２から取得した目標輝度及び目標色温度の組み合わせに対応する共通バックライト発光設定値を決定し取得する機能部を液晶表示装置１００が有する構成となる。この機能部は本実施例における二画面表示キャリブレーション制御部７０５に対応し、本発明の「決定手段」「発光設定値取得手段」として機能する。この構成では、液晶表示装置１００の表示制御部６０４は、この「決定手段」「発光設定値取得手段」として機能する液晶表示装置１００の機能部から共通バックライト発光設定値を取得し、バックライト制御部６０５に送信する。また、表２を参照して、ＰＣ１０１又はＰＣ１０２から取得した目標色域、目標輝度、目標色温度、及び共通バックライト発光設定値の組み合わせに対応するルックアップテーブルを決定し取得する機能部を液晶表示装置１００が有する構成となる。この機能部は本実施例における二画面表示キャリブレーション制御部７０５に対応し、本発明の「ルックアップテーブル決定手段」「ルックアップテーブル取得手段」として機能する。
【００７３】
また、液晶表示装置１００の表示色域、表示輝度、及び表示色温度を測定により取得するＰＣ１０１のセンサＩ／Ｆ回路４０６やセンサドライバ部７０４に対応する機能部を液晶表示装置１００が有する構成となる。そして、この機能部が本発明の「表示特性取得手段」として機能する。
【００７４】
また、ＰＣ１０１の測定用パターン画像の出力要求を出し、表示色域、表示輝度、及び表示色温度を測定により取得する二画面表示キャリブレーション制御部７０５に対応する機能部を液晶表示装置１００が有する構成となる。また、目標色域、目標輝度、及び目標色温度との差異に基づき、共通バックライト発光設定値又はＬＵＴを補正する二画面表示キャリブレーション制御部７０５に対応する機能部を液晶表示装置１００が有する構成となる。そして、この機能部が本発明の「キャリブレーション手段」として機能する。
【００７５】
（実施例２）
本実施例では、キャリブレーション処理の結果、液晶表示装置に接続された複数の画像出力装置のうちに、表示色域、表示輝度、又は表示色温度と目標色域、目標輝度、又は目標色温度との差異が閾値以下にならないものがある場合について説明する。本実施例では、このような場合には、液晶表示装置に接続された複数の画像出力装置のいずれかを優先する。なお、実施例１と重複する部分については、記述を省略する。
【００７６】
図９は、本発明の第２の実施例が適用されるＰＣ１０１の機能ブロック図である。
二画面表示キャリブレーション制御部７１５は、図６の二画面表示キャリブレーション制御部７０５の機能に加え、次の機能を有する。すなわち、キャリブレーション処理の結果、ＰＣ１０１又はＰＣ１０２の表示色域、表示輝度、又は表示色温度と目標色域、目標輝度、又は目標色温度との差異が閾値以下にならない場合に、ＰＣ１０１又はＰＣ１０２のいずれを優先する画像出力装置として選択する。
【００７７】
二画面表示キャリブレーション制御部７１５は、どちらを優先するかを、ユーザがキーボード１０３又はマウス１０４で入力した指示をキーボードドライバ部７０２又はマウスドライバ部７０３から取得することにより判断する。ユーザが優先するＰＣを指定するキーボード１０３又はマウス１０４は、本発明において、優先する画像出力装置として選択すべき画像出力装置をユーザに指定させる手段として機能している。また、ユーザの指定
に従いＰＣ１０１又はＰＣ１０２のいずれかを優先するＰＣとして選択する二画面表示キャリブレーション制御部７１５が、本発明において、全ての画像出力装置のうちから優先する画像出力装置を選択する手段として機能している。
【００７８】
図１０は、二画面表示キャリブレーション制御部７１５による二画面表示キャリブレーション処理のフローチャートである。
二画面表示キャリブレーション制御部７１５は、図８のＳ１００１からＳ１０１２までの処理を実行する（Ｓ１２０１）。その後、二画面表示キャリブレーション制御部７１５は、Ｓ１００８で取得したＰＣ１０１の表示色域、表示輝度、及び表示色温度と、Ｓ１００２で取得した目標色域、目標輝度、及び目標色温度との差異が閾値以下であるか確認する。
【００７９】
また、二画面表示キャリブレーション制御部７１５は、Ｓ１０１１で取得したＰＣ１０２の表示色域、表示輝度、及び表示色温度と、Ｓ１００３で取得した目標色域、目標輝度、及び目標色温度との差異が閾値以下であるかを確認する（Ｓ１２０２）。
ＰＣ１０１及びＰＣ１０２の各表示特性値とその目標値との差異が全てそれぞれの閾値以下である場合（Ｓ１２０２のＹＥＳ）は、二画面表示キャリブレーション制御部７１５は、キャリブレーション処理を終了する。
【００８０】
一方、ＰＣ１０１又はＰＣ１０２において、表示色域、表示輝度、及び表示色温度と、目標色域、目標輝度、及び目標色温度との差異が閾値以下にならないものがある場合（Ｓ１２０２のＮＯ）、二画面表示キャリブレーション制御部７１５は、次の処理を行う。すなわち、二画面表示キャリブレーション制御部７１５は、ＰＣ１０１とＰＣ１０２のいずれを優先するか確認するメッセージを表示し、ユーザに優先する方をキーボードかマウスで選択させる（Ｓ１２０３）。
【００８１】
次に、優先しない方の目標色域、目標輝度、及び目標色温度に、優先する方の目標色域、目標輝度、及び目標色温度を代入し（Ｓ１２０４）、図８のＳ１００４からＳ１００８のキャリブレーション処理を実行する（Ｓ１２０５）。つまり、優先しない方の目標色域、目標輝度、及び目標色温度は、優先する方の目標色域、目標輝度、及び目標色温度と等しいと仮定して共通バックライト発光設定値を求め、再度キャリブレーション処理を行う。すなわち、優先しない方の目標色域、目標輝度、及び目標色温度を用いず、優先する方の目標色域、目標輝度、及び目標色温度のみを用いて共通バックライト発光設定値が決定される。
【００８２】
例えば、ＰＣ１０１の目標色域がｓＲＧＢ、目標輝度が１５０ｃｄ／ｍ２、目標色温度が７２００Ｋで、ＰＣ１０２の目標色域がＡｄｏｂｅＲＧＢ、目標輝度が２５０ｃｄ／ｍ２、目標色温度が６５００Ｋで、ユーザがＰＣ１０１を優先すると選択したとする。この場合、優先する画像出力装置以外の画像出力装置（ＰＣ１０２）の目標色域をｓＲＧＢ、目標輝度を１５０ｃｄ／ｍ２、目標色温度を７２００Ｋとみなす。このようにみなした上で、ＰＣ１０１の目標輝度及び目標色温度と、ＰＣ１０２の目標輝度及び目標色温度と、の組み合わせに対応する共通バックライト発光設定値を表１を参照して取得する。そして、取得した共通バックライト発光設定値に基づき、図８のＳ１００４からＳ１００８のキャリブレーション処理を再度実行する。
【００８３】
このように、複数の画像出力装置の表示色域、表示輝度、及び表示色温度と目標色域、目標輝度、及び目標色温度との差異を全て同時に閾値以下にすることができない場合に、ユーザが選択した画像出力装置の目標値のみを利用する。これにより、少なくともユーザが優先する画像出力装置として選択した画像出力装置に関しては、表示色域、表示輝度、及び表示色温度と目標色域、目標輝度、及び目標色温度との差異を閾値以下にすることが
できる。
【００８４】
この場合も、全ての画像出力装置の画像信号に基づく画像の表示領域のバックライトは、優先する画像出力装置の目標色域、目標輝度、及び目標色温度のみに基づいて表１を参照して決定された共通バックライト発光設定値で発光する。また、優先する画像出力装置の画像信号に基づく画像を全画面表示する場合と二画面表示する場合との両方において、その画像の表示領域のバックライトが前記共通バックライト発光設定値で発光する。従って、優先する画像出力装置に関しては、二画面表示の境界付近における色再現性の低下を好適に抑制でき、また、二画面表示と全画面表示とで色が変わることを好適に抑制できる。
【００８５】
なお、本実施例では、ＰＣ１０１又はＰＣ１０２のいずれかの表示色域、表示輝度、又は表示色温度と目標色域、目標輝度、又は目標色温度との差異が閾値を超える場合にユーザに優先する画像出力装置を選択させるように構成した。この点、ＰＣ１０１とＰＣ１０２のいずれを優先するかの情報を予め記録しておいてもよい。この場合、ＰＣ１０１又はＰＣ１０２のいずれかの表示色域、表示輝度、又は表示色温度と目標色域、目標輝度、又は目標色温度との差異が閾値を超えるときは、記録した情報を参照して再度キャリブレーション処理を行うように構成しても良い。
【符号の説明】
【００８６】
１００：液晶表示装置、４０３：蓄積手段、６０５：バックライト制御部、１０３：輝度・色度測定センサ、７０５：二画面表示キャリブレーション制御部
【図１】
0005637833.tif 000004
【図２】
0005637833.tif 000005
【図３】
0005637833.tif 000006
【図４】
0005637833.tif 000007
【図５】
0005637833.tif 000008
【図６】
0005637833.tif 000009
【図７】
0005637833.tif 000010
【図８】
0005637833.tif 000011
【図９】
0005637833.tif 000012
【図１０】
0005637833.tif 000013